(57)【要約】【課題】一部分に給水されたとしても万遍なく植栽基盤全体に水分を行き渡らすことができ、且つ安価な植栽基盤を提供する。【解決手段】少なくとも底部を有し、底部上に育成材を載置可能な植栽基盤において、底部は、水分を貯留又は保持可能な複数の貯水又は保水用凹部と、貯水又は保水用凹部相互を通水可能に連通する複数種類の連通部を有し、全体として真空成形で成形してなる植栽基盤。【選択図】図１
2014110813.tif 000002
【特許請求の範囲】
【請求項１】
少なくとも側壁と底部を有し、該底部上に育成材を載置可能な平面視略方形の植栽基盤において、
向かい合う２つの該側壁に、給水管を配設可能な凹部を設け、
該凹部の下端が該底部上面よりもわずかに高く形成されており、
該底部は、水分を貯留又は保持可能な複数の貯水又は保水用凹部と、
該貯水又は保水用凹部相互を通水可能に連通すると共に、該側壁に平行な複数の通水部を有してなり、
該側壁全周において、該側壁内面の下端が略水平状の該底部外端とつながっていることを特徴とする植栽基盤。
【請求項２】
前記底部に貯水又は保水用凹部を有し、前記貯水又は保水用凹部の略中心部に前記底部と略同一高さまで突出した面状部が形成されていることを特徴とする請求項１に記載の植栽基盤。
【請求項３】
向かい合う前記側壁に形成された前記凹部に前記給水管を配設した場合、前記給水管の下に前記面状部が存在することを特徴とする請求項２記載の植栽基盤。
【請求項４】
前記連通部は、溝であり、異なる複数種類の幅又は深さを有することを特徴とする請求項１乃至３の何れか１項に記載の植栽基盤。
【請求項５】
少なくとも側壁と底部を有し、該底部上に育成材を載置可能な平面視略方形の植栽基盤において、
向かい合う２つの該側壁に、給水管を配設可能な凹部を設け、
該底部は、水分を貯留又は保持可能な複数の貯水又は保水用凹部と、
該貯水又は保水用凹部の略中心部に前記底部と略同一高さまで突出した面状部が形成されており、
向かい合う該側壁に形成された該凹部に該給水管を配設した場合、該給水管の下に該面状部が存在することを特徴とする植栽基盤。
【請求項６】
少なくとも側壁と底部を有し、該底部上に育成材を載置可能な平面視略方形の植栽基盤において、
向かい合う２つの該側壁に、給水管を配設可能な凹部を設け、
該底部は、水分を貯留又は保持可能な複数の貯水又は保水用凹部を有しており、
該側壁全周において、該側壁内面の下端が略水平状の該底部外端とつながっていることを特徴とする植栽基盤。
【発明の詳細な説明】
【発明の詳細な説明】
【技術分野】
【０００１】  本発明は、建造物の屋上や屋根、ベランダ等における緑化対策の一貫として使用する植栽基盤に係り、少なくとも底部を有し、該底部上に育成材を載置可能な植栽基盤に関する。
【背景技術】
【０００２】  近年、都市の緑化対策の重要性が認識されつつあり、建造物の屋上、傾斜屋根、ベランダ等においても緑化が図られており、かかる緑化に貢献するものとして、特許文献１に箱状の容器本体の底部に、縦横に延びる上げ底部と、この縦横の上げ底部で区画形成された貯水凹部とが形成され、前記上げ底部には、貯水凹部からあふれ出た水を排水する排水口が形成されており、前記容器本体の底部には、上げ底部よりも上方に突出した筒部が形成されており、この筒部には、容器本体の周壁の排水高さよりも低い位置に排水孔が形成されている緑化容器が開示されており、容器内に水を貯留できる構造となっている。
【先行技術文献】
【特許文献】
【０００３】
【特許文献１】特開２００６−６２１５
【発明の概要】
【発明が解決しようとする課題】
【０００４】  しかしながら、上記特許文献１では、貯水凹部相互間を水が行き来できるような通水部が存在しないため、貯水凹部内の水が多くなった場合に容器外へ排水されてしまうという不具合が生じていた。【０００５】  つまり、容器に給水する場合に、容器全体に万遍なく給水する必要があるが、仮に容器の一部分にだけ給水を行った場合は、給水されている箇所にのみ、或いは予め形成されている敷設面の勾配による低勾配側に水分がかたよった状態で溜まり、容器全体に水分が行き渡らなくなり、植物が枯れてしまうという不具合が生じていた。【０００６】  また、特許文献１の容器は、射出成形により成形されているため、高価なものとなってしまうという不具合が生じていた。【０００７】  また、コスト削減のため、容器自体を大きくする動きがあるが、このような場合、特許文献１の容器は、矩形状に形成されており、１つの容器が入らない空間であるボーダー部の処理が必要になるが、このボーダー部の処理構造に関して何ら開示がなく、決められた広さの緑化エリアしか形成できないという不具合が生じていた。【０００８】  本発明は上記課題に鑑みなされたものであり、一部分に給水されたとしても早期に万遍なく植栽基盤全体に水分を行き渡らすことができ、結果的に良好な植物の生育が可能な植栽基盤を提供することを目的とする。【０００９】  また、本発明は、安価な植栽基盤を提供することを目的とする。【００１０】  また、本発明は、給水管を安定して配設することが可能な植栽基盤を提供することを目的とする。
【課題を解決するための手段】
【００１１】  本発明の植栽基盤は、少なくとも側壁と底部を有し、該底部上に育成材を載置可能な平面視略方形の植栽基盤において、向かい合う２つの該側壁に、給水管を配設可能な凹部を設け、該凹部の下端が該底部上面よりもわずかに高く形成されており、該底部は、水分を貯留又は保持可能な複数の貯水又は保水用凹部と、該貯水又は保水用凹部相互を通水可能に連通すると共に、該側壁に平行な複数の連通部を有してなり、該側壁全周において、該側壁内面の下端が略水平状の該底部外端とつながっていることを特徴とする。【００１２】  本構成により、給水管を凹部により安定させて配設することが可能となると共に、給水された水が貯水又は保水用凹部に溜まり、その後、貯水又は保水用凹部に入りきらない水が連通部を通って、他の貯水又は保水用凹部に移動するため、全ての貯水又は保水用凹部に早期に行き渡り、植物が枯れることを防止することができる。【００１３】  さらに、本発明の植栽基盤は、前記底部に貯水又は保水用凹部を有し、前記貯水又は保水用凹部の略中心部に前記底部と略同一高さまで突出した面状部が形成されていることを特徴とする。【００１４】  本構成により、給水管をより安定させて配設することが可能となっている。【００１５】  さらに、本発明の植栽基盤は、向かい合う前記側壁に形成された前記凹部に前記給水管を配設した場合、前記給水管の下に前記面状部が存在することを特徴とする。【００１６】  本構成により、給水管をより安定させて配設することが可能となっている。【００１７】  さらに、本発明の植栽基盤は、前記連通部は、溝であり、異なる複数種類の幅又は深さを有することを特徴とする。【００１８】  本構成により、一部分に給水されたとしても早期に万遍なく植栽基盤全体に水分を行き渡らすことができる。【００１９】  また、本発明の植栽基盤は、少なくとも側壁と底部を有し、該底部上に育成材を載置可能な平面視略方形の植栽基盤において、向かい合う２つの該側壁に、給水管を配設可能な凹部を設け、該底部は、水分を貯留又は保持可能な複数の貯水又は保水用凹部を有し、該貯水又は保水用凹部の略中心部に前記底部と略同一高さまで突出した面状部が形成されており、向かい合う該側壁に形成された該凹部に該給水管を配設した場合、該給水管の下に該面状部が存在することを特徴とする植栽基盤。【００２０】  本構成により、給水管をより安定させて配設することが可能となっている。【００２１】  また、本発明の植栽基盤は、少なくとも側壁と底部を有し、該底部上に育成材を載置可能な平面視略方形の植栽基盤において、向かい合う２つの該側壁に、給水管を配設可能な凹部を設け、該底部は、水分を貯留又は保持可能な複数の貯水又は保水用凹部を有しており、該側壁全周において、該側壁内面の下端が略水平状の該底部外端とつながっていることを特徴とする。【００２２】  本構成により、給水管をより安定させて配設することが可能となっている。
【発明の効果】
【００２３】  本発明の植栽基盤は、貯水又は保水用凹部相互間を連通部で連通しているため、水分を植栽基盤全体に行き渡らすことが可能となり、結果的に植物に対して十分に水分を与えることができ、良好に生育させることが可能となる。【００２４】  また、本発明の植栽基盤は、給水管をより安定させて配設することが可能となっている。
【図面の簡単な説明】
【００２５】
【図１】（ａ）は、本発明の第１実施例の植栽基盤を示す平面図、（ｂ）は正面図、（ｃ）は（ａ）のＡ−Ａ矢視断面図、（ｄ）は（ａ）のＢ−Ｂ矢視断面図、（ｅ）は側面図、（ｆ）は（ａ）のＣ−Ｃ矢視断面図、（ｇ）は（ａ）のＤ−Ｄ矢視断面図。
【図２】（ａ）は、本発明の第１実施例の植栽基盤を敷設面に敷設した状態を示す平面説明図、（ｂ）は（ａ）のＡ−Ａ断面図。
【図３】は、本発明の第１実施例の植栽基盤を敷設面に敷設した状態での水の流れを示す平面説明図。
【図４】（ａ）は、本発明の第２実施例の植栽基盤を示す平面図、（ｂ）は正面図、（ｃ）は（ａ）のＡ−Ａ矢視断面図、（ｄ）は（ａ）のＢ−Ｂ矢視断面図、（ｅ）は側面図、（ｆ）は（ａ）のＣ−Ｃ矢視断面図。
【図５】は、本発明の第２実施例の植栽基盤を敷設面に敷設した状態を示す平面説明図。
【図６】は、本発明の第２実施例の植栽基盤に対する給水管の配設状態を示す平面説明図。
【図７】（ａ）は第３実施例の植栽基盤を示す平面図、（ｂ）は第４実施例の植栽基盤を示す平面図、（ｃ）は第５実施例の植栽基盤を示す平面図、（ｄ）は第６実施例の植栽基盤を示す平面図。
【図８】（ａ）は、本発明の植栽基盤に対する給水管の別実施例の配設状態を示す平面説明図、（ｂ）は正面図。
【図９】（ａ）は給水管保持部材を使用した状態を示す一部拡大平面説明図、（ｂ）は給水管保持部材の平面図、（ｃ）は給水管保持部材の側面図。
【図１０】（ａ）は第２実施例の植栽基盤の切断箇所を示す平面図、（ｂ）は（ａ）の切断箇所にて切断した状態を示す平面図、（ｃ）は（ｂ）の切断片を組み合わせた状態を示す平面図、（ｄ）は（ｃ）の更に切断箇所を示す平面図、（ｅ）は（ｄ）の切断箇所にて切断した状態を示す平面図、（ｆ）は（ｅ）の切断片を組み合わせた状態を示す平面図。
【発明を実施するための形態】
【００２６】  以下、本発明の植栽基盤及び植栽基盤の施工方法について、図面に沿って説明するが、本発明は下記実施例に限定されるものではない。
【００２７】  ＜第１実施例＞
図１〜図３は本発明の第１実施例の植栽基盤を示し、図１は植栽基盤を示す図であり、図２は植栽基盤を敷設面に敷設した状態を示す図であり、図３は植栽基盤の水の移動を示す説明図である。
【００２８】  図１に示すように、第１実施例の植栽基盤１００は平面視略正方形の平板状からなる底部１０１と、この底部１０１に縦横４個ずつ均等に合計１６個が配列され、底部１０１より下方に、且つ平面視正方形状にへこんでいる貯水又は保水用凹部１０２が形成されており、この貯水又は保水用凹部１０２相互を凹溝からなる連通部１０３で連通している。尚、植栽基盤１００の大きさは、３００ｍｍ×３００ｍｍ、３５０ｍｍ×３５０ｍｍ、５００ｍｍ×５００ｍｍ、６００ｍｍ×６００ｍｍ、１０００ｍｍ×１０００ｍｍ等適宜であるが、大きければ大きいほど、施工性が向上し、コストダウンとなる。
【００２９】  この連通部１０３は、図面上、横方向に隣り合う貯水又は保水用凹部１０２相互を連通する連通部１０３ａと、図面上、縦方向に隣り合う貯水又は保水用凹部１０２相互を連通する連通部１０３ｂとで、溝の深さが異なっており、図示横方向の溝が深くなっている深溝連通部１０３ａと、図示縦方向の深さが浅くなっている浅溝連通部１０３ｂで構成されている。
【００３０】  また、縦横に隣り合う４個の貯水又は保水用凹部１０２及びこれらを連通する連通部１０３ａ、１０３ｂに囲まれた底部１０１に、８方向に放射状に配置され、且つ底部１０１を上下に貫通する１７個の孔１０４が穿設されており、余剰水が排水されると共に、通気も可能な構造となっており、全体として真空成形にて形成されている。
【００３１】  以上からなる植栽基盤１００を図２に示すように、敷設面１０５に隙間なく敷き詰め、その上に、育成材１０６を載置し、その上に植物１０７を施すことにより、緑化エリア１０８が形成されることとなる。尚、緑化エリア１０８が外周には縁部である縁石などの見切り材１０９を設ける等適宜であり、全体として美観に優れた緑化エリア１０８が形成される。尚、敷設面１０５と植栽基盤１００の間には粘着剤又は接着剤を塗布していることから、植栽基盤１００の耐負圧力が向上することとなる。この粘着剤又は接着剤の塗布は全面に行っても良く、又は部分的に塗布しても良く、更には塗布しなくても良い。尚、植栽基盤１００の撤去或いは移設等を考慮すると、粘着剤の方が良い。上記見切り材１０９としてはどのようなものであっても良く、石材、木材、発泡材、樹脂成型材、鋼板の折り曲げ材、押出し成型材、ゴム等適宜であり、見切り材１０９は植栽基盤１００に固定、敷設面１０５に固定、非固定等適宜であり、且つ固定方法も接着固定、粘着固定、ビス固定、アンカー固定等適宜であり、緑化エリア１０８と非緑化エリアを仕切ることができればどのような構造、材質であっても良い。
【００３２】  尚、図３に示すように、第１実施例の植栽基盤１００は、例えば、図面上で上が高勾配で下が低勾配の場合、「０」の貯水又は保水用凹部１０２に給水などで水が供給され、「０」部が満水になると、まず横方向の連通部１０３ａの溝が深い箇所を通って「１」更には「２」へと水が流れると共に貯水又は保水されていく。その後、横方向が全て満水となると、次に連通部１０３ｂの溝が浅い縦方向で且つ勾配に沿って水が流れ、「３」、「４」更には「５」へと水が流れると共に貯水又は保水されていくこととなり、確実に植栽基盤１００全体に水分が行き渡ることとなる。尚、給水や降雨などで全ての貯水又は保水用凹部１０２が満水となると、孔１０４或いは植栽基盤１００相互間から排水されることは言うまでもない。
【００３３】  尚、本発明で載置される育成材１０６としては、例えばパーライト、バーミキュウライト、ピートモス、バーク堆肥、チャフコン、木質腐朽有機物、ゼオライト、木炭、下水或いは浄水場から発生する汚泥、或いは汚泥の焼却灰、火山灰、竹炭等とすることができ、又、これらの内の数種類を選定し、これらを保水性、排水性を良好にするためにバランス良く配合したもの、若しくはこれらの数種類を層状に設けたもの、或いはこれらの単体で若しくは配合して固化しブロック状にした軽量育成材や、スポンジ、ロックウール、ウレタン、ヤシガラ等の繊維材等を結合してなるマット状の軽量育成材等としてもよい。かかる通気性良好な軽量育成材を育成材として採用することにより、植物の根が傷むことを防止でき、又、これらの軽量育成材による荷重は従来の客土の約１／３程度であることから、敷設面１０５への荷重負荷を軽減することができる。尚、ブロック状、或いはマット状の育成材を使用すると施工性が向上すると共に飛散を防止することができる。また、粒状の育成材を使用するとコスト低減効果を発揮することができる。
【００３４】  また、育成材１０６に施される植物１０７は芝等の地被植物、草花、木、セダム等の多肉植物、蔓性植物、苔等適宜であり、これらの組み合わせであっても良く、更には、これらの植物の種を播種して施す、或いはこれらの植物をマット状にして育成材上に載置する、或いはこれらの植物をポット状として育成材に植栽を施す等適宜である。尚、ポット状の植物を施す場合は、育成材１０６として、比重が重いものを使用する或いは上層だけ比重の重いものを使用すると好適であり、育成材１０６の飛散防止効果が発揮できる。
【００３５】  また、敷設面１０５とは、植栽基盤１００が設置可能な箇所であれば全て含まれ、例えば建物の屋上に直接、或いは防水シート上、或いは防水シート上に更に設けられた耐根シート上等適宜であり、更には山部や谷部が連続して設けられる折板屋根等の平面である必要もなく、植栽基盤１００を設置する箇所を意味している。
【００３６】  本実施例の植栽基盤１００を使用することにより、例えば給水などを施す場合、給水などにより供給された水分が植栽基盤１００全体に行き渡るため、結果的に植物１０７に対して十分に水分を与えることができ、良好に生育させることが可能となる。しかし、セダムや苔等、植物１０７の種類によっては、給水を施す必要がなく、自然降雨で植物を生育することができる。
【００３７】  また、粘着剤又は接着剤で敷設面１０５に貼り付けるだけで良いため、安価に、且つ確実に、早く敷設面１０５に施工することが可能となる。
【００３８】  また、底部１０１の裏面が凹凸形状となっているため、敷設面１０５に水分がたまることがなく、良好な排水が施される。
【００３９】  また、孔１０４の敷設面と離れているため、排水が良好に行われるだけでなく、植物１０７の根に対して新鮮な空気を送ることが可能であるため、良好な植物１０７の生育が可能となっている。
【００４０】  ＜第２実施例＞
次に、本発明の第２実施例について、上記第１実施例と異なる箇所の詳細を説明する。図４〜図６は本発明の第２実施例の植栽基盤を示し、図４は植栽基盤を示す図であり、図５は植栽基盤を敷設面に敷設した状態を示す図であり、図６は植栽基盤と給水設備との関係を示す図である。
【００４１】  図４に示すように、第２実施例の植栽基盤２００は平面視略正方形の平板状からなる底部２０１と、この底部２０１に縦横１０個ずつ均等に合計１００個が配列され、底部２０１より下方に、且つ平面視略八角形状にへこんでいる貯水又は保水用凹部２０２ａが形成されており、この貯水又は保水用凹部２０２ａ相互を凹溝からなる連通部２０３で連通している。この貯水又は保水用凹部２０２ａが本願発明の第１の貯水又は保水用凹部２０２ａを意味しており、相互に連通部２０３ａ、２０３ｂで連通された状態となっている。
【００４２】  この連通部２０３は、図面上、横方向に隣り合う貯水又は保水用凹部２０２ａ相互を連通する連通部２０３ｂと、図面上、縦方向に隣り合う貯水又は保水用凹部２０２ａ相互を連通する連通部２０３ａとで、溝の深さが異なっており、図示横方向の溝が深くなっている深溝連通部２０３ａと、図示縦方向の溝が浅くなっている浅溝連通部２０３ｂで構成されている。
【００４３】  また、縦横に隣り合う４個の貯水又は保水用凹部２０２ａ及びこれらを連通する連通部２０３ａ、２０３ｂに囲まれた底部２０１のうちの一部に、平面視略円形に下方にへこんでなる貯水又は保水用凹部２０２ｂが形成されており、且つこの貯水又は保水用凹部２０２ｂの略中心部に上方に前記底部２０１と略同一高さまで突出した面状部２１１が形成され、この面状部２１１に上下に貫通する孔２０４が穿設されており、余剰水が排水されると共に通気が可能な構造となっている。更に、前記面状部２１１の周りに形成された貯水又は保水用凹部２０２ｂを跨ぐように上方にトンネル状に突出した経路部２１２が四方に形成されており、孔２０４から排出された余剰水がどの方向へも流れ出ることが可能で、且つ通気も可能な構成となっている。尚、孔２０４は植栽基盤２００の辺中央相互を結ぶ中心線上に存在する面状部２１１には、４つ穿設され、他の面状部には５つ穿設されている。
【００４４】  また、縦横に隣り合う４個の貯水又は保水用凹部２０２ａ及びこれらを連通する連通部２０３ａ、２０３ｂに囲まれた底部のうちの前記面状部２１１が形成されていない箇所には、同様に貯水又は保水用凹部２０２ｂが形成され、且つこの貯水又は保水用凹部２０２ｂの略中心部に前記面状部２１１よりも上方で、且つ後述する側壁２１５と略同一高さまで突出している筒状突出部２１３が形成されており、この筒状突出部２１３の周りには補強用突状部であるリブ２１４が四方に放射状に形成されている。これらの貯水又は保水用凹部２０２ｂが本願発明の第２貯水又は保水用凹部２０２ｂを意味しており、独立して存在している。また、筒状突出部２１３にリブ２１４を設けているため、ある程度の上方から、或いは側方からの力による変形、破損を防止することが可能になっている。
【００４５】  また、底部２０１の周縁には、上方に側壁２１５が立設しており、且つ側壁２１５の上端部を外方に屈曲延設してなる鉤状連結部２１６で形成されている。この鉤状連結部２１６は、隣り合う２側壁が幅広及び高さの高い幅広連結部２１６ａとし、他の隣り合う２側壁が幅狭及び高さの低い幅狭連結部２１６ｂとして形成され、この幅狭連結部２１６ｂに他の植栽基盤の幅広連結部２１６ａを被せることにより、連結が可能な構成となっている。また、角部分はこれら鉤状連結部２１６が干渉しないように切断部２１７が形成されており、良好な連結作業を行うことが可能となっている。
【００４６】  また、側壁２１５及び鉤状連結部２１６の上面には、後述する給水管２１９を配設可能な凹部２１８が１つの側壁２１５に５箇所形成されており、好きな箇所に給水管２１９を配設可能な構成となっている。
【００４７】  以上からなる植栽基盤２００を図５に示すように、敷設面２０５に敷き詰める際に、幅狭連結部２１６ａ上に幅広連結部２１６ｂを被せるように連結させながら敷設し、その上に、育成材２０６を載置すると共に、前記凹部２１８に給水管２１９を配設し、更には育成材２０６に植物２０７を施すことにより、緑化エリア２０８が形成されることとなる。尚、上記第１実施例同様に、縁部である縁石などの見切り材２０９及び粘着剤又は接着剤の塗布を行う。尚、後述するように給水管２１９を配設する際に、給水管２１９への水の供給、停止を行う電磁弁２２１を収納するための電磁弁収納部材２２０が設けられており、見切り材２０９の一部の役割を果たしている。
【００４８】  前記育成材２０６を載置する際に、育成材２０６の厚さを必要としない植物２０７の場合は、植栽基盤２００から立設している筒状突出部２１３の上端を育成材２０６の厚さとして、均一に載置することができる。つまり、筒状突出部２１３の高さが育成材２０６の最低の厚さの場合の目安としての役割を果たしている。また、育成材２０６の水平方向への移動も未然に防止している。
【００４９】  また、前記給水管２１９の配設方法は、図６に示すように電磁弁収納部材２２０に収納された５つの電磁弁２２１から給水管２１９が出ており、１個の植栽基盤２００の１辺に設けられた５つの凹部２１８から植栽基盤２００内に給水管２１９が入り込んでおり、各給水管２１９は屈曲しながら、且つそれぞれの凹部２１８を利用して各植栽基盤２００に行き渡り、給水を可能にしている。尚、給水管２１９としては多孔質パイプ、浸み出しパイプ、ドリップパイプ等適宜である。
【００５０】  本実施例の植栽基盤２００を使用することにより、第１実施例の効果及び実施例の説明中に説明した効果を奏すると共に、電磁弁収納部材２２０を見切り材２０９の一部として使用するため、別途電磁弁２２１を収納するための部材を設ける必要がなく、美観に優れた緑化エリア２０８を形成することが可能と共に、コストダウン効果も得られる。
【００５１】  また、給水管２１９を緑化エリア２０８内で引きまわしているため、別途緑化エリア２０８外に給水管２１９を収納するための部材を設ける必要が無く、美観に優れた緑化エリア２０８を形成することが可能と共に、コストダウン効果も得られる。
【００５２】  また、給水管２１９は植栽基盤２００の凹部２１８を通って、植栽基盤２００内に入り込んでいるため、給水管２１９自体が安定して配設することが可能であると共に、移動する虞が無く、確実に給水を行うことができる。
【００５３】  また、筒状突出部２１３の下端に貯水又は保水用凹部２０２ｂが存在するため、植物２０７の根が筒状突出部２１３に沿って下方へ向かい、水分が存在する貯水又は保水用凹部２０２ｂに到達するため、確実に植物２０７へ水分が供給され、良好な生育が可能と共に、根絡みも良好で、植物２０７の飛散防止効果も得られる。また、筒状突出部２１３の下端が敷設面２０５に当接していることから、強度向上が図られている。
【００５４】  また、連通部２０３で連通されている第１の貯水又は保水用凹部２０２ａと独立して存在している第２の貯水又は保水用凹部２０３ｂが存在するため、十分な貯水又は保水量を確保できると共に、第１の貯水又は保水用凹部２０２ａに貯水又は保水されている水分は連通部２０３を利用して早期に植栽基盤２００全体に行き渡らすと共に、第２の貯水又は保水用凹部２０２ｂに貯水又は保水されている水分は育成材２０６の毛細管現象を利用して徐々に植栽基盤２００全体に行き渡らすことができ、良好な植物２０７の生育が可能となっている。また、貯水又は保水用凹部２０３を複数有することから、敷設面２０５に当接する面が増え、粘着或いは接着面が増えて敷設面２０５への固定強度が向上する。
【００５５】  また、側壁２１５が存在することから、育成材２０６が粒状であっても対応することができ、育成材２０６が流出することを防止可能となっており、また、植栽基盤２００を敷設面２０５に敷設する前に、予め植栽基盤２００に育成材２０６を載置充填して、敷設面２０５に敷設する、或いは植栽基盤２００に育成材２０６を載置充填すると共に植物２０７を施しておいて、敷設面２０５に敷設する等、様々な対応が可能となっているが、植栽基盤２００の強度等によっては、育成材２０６の載置充填及び植物２０７を施す工程は敷設面２０５への敷設後の方が良い場合もある。
【００５６】  また、鉤状連結部２１６により植栽基盤２００相互を連結しているため、耐負圧に対して強くなると共に、植栽基盤２００の移動、植栽基盤２００相互の隙間等の発生を防止することが可能となっており、確実に、簡単に敷設面２０５に植栽基盤２００を複数敷設することが可能となっており、植栽基盤２００相互の位置ずれも未然に防止することができる。
【００５７】  ＜実施例の変形例等＞
以上、本発明の実施例について説明したが、本発明は要旨の範囲内において、拡張及び変形が可能であり、各発明や実施例の構成の他に、これらの部分的な構成を本明細書開示の他の構成に変更して特定したもの、或いはこれらの構成に本明細書開示の他の構成を付加して特定したもの、或いはこれらの部分的な構成を部分的な作用構成が得られる限度で削除して特定した上位概念化したものも含まれ、例えば下記のような変形例も包含される。
【００５８】  上記植栽基盤は、平面視正方形で説明したが、多角形、円形、楕円形、直線と曲線を組み合わせた外形形状等適宜であり、正多角形ではなく、長方形、菱形等適宜であり、且つ植栽基盤の各種構成の個数、形状、大きさ（寸法）、位置などは上記実施例に限定さるものではなく、また、各種構成を植栽基盤に対して一体に成形する或いは別体で成形して組み合わせる構成であっても良い。特に、第２実施例の筒状突出部は、育成材の載置厚さによって、様々選定できるようにしても良い。また、各種構成に関して、本発明の要旨の範囲内において、不要なものは削除しても良い。更に、上記実施例では連通部を凹溝とし、深さを異ならせているが、幅を異ならせる、数を異ならせる、これらの組み合わせで異ならせる等適宜であり、必ずしも異ならせる必要もなく、更には無くても良い。
【００５９】  例えば、図７（ａ）に示すように、植栽基盤３００を底部３０１に平面視円形の４個の貯水又は保水用凹部３０２を４個形成し、図面視横に並ぶ貯水又は保水用凹部３０２相互を幅の広い凹溝の広溝連通部３０３ａで連通し、図面視縦に並ぶ貯水又は保水用凹部３０２相互を幅の狭い凹溝の狭溝連通部３０３ｂで連通すると共に、底部３０１の適宜箇所にスリット状の孔３０４を複数形成する構成であっても良く、本実施例の植栽基盤を使用することにより、育成材が粒径の場合であって落下することなく、確実に排水或いは通気が可能となる。
【００６０】  また、図７（ｂ）に示すように、植栽基盤４００を底部４０１に平面視略円形で相互に連通部４０３ａ、４０３ｂで連通してなる貯水又は保水用凹部４０２ａを４個形成し、図面視横に並ぶ貯水又は保水用凹部４０２ａ相互を幅の広い凹溝の広溝連通部４０３ａで連通し、図面視縦に並ぶ貯水又は保水用凹部４０２ａ相互を幅の狭い凹溝の狭溝連通部４０３ｂで連通すると共に、貯水又は保水用凹部４０２ａと連通部４０３ａ、４０３ｂで囲まれた底部４０１に独立した貯水又は保水用凹部４０２ｂを形成すると共に、貯水又は保水用凹部４０２ａには、平面視四角形状の筒状突出部４１３を形成してなる構成であっても良く、本実施例の植栽基盤を使用することにより、植栽基盤の周りから先に水分が行き渡らせることができると共に、孔を有さないため、別途孔開け加工が不要となり、より安価に製造することが可能となる。尚、余剰水の排水或いは通気は、植栽基盤４００相互間の隙間で行う構成となっている。
【００６１】  また、図７（ｃ）に示すように、植栽基盤５００を底部５０１の四隅部分に平面視小さく、更に図面視横方向で向かい合う辺の略中央部近傍に平面視大きく、凹溝の全てが同じ深さ及び幅の連通部５０３で連通された平面視四角形の貯水又は保水用凹部５０２ａを合計６個形成し、他の底面５０１には丸状の孔５０４を複数形成し、周辺には連結部などが存在しない側壁５１５を立設し、且つ図面視縦方向で向かい合う２辺の側壁５１５には給水管を保持可能な凹部５１８が形成されており、更に、底部５０１に平面視円形で相互に独立して形成された貯水又は保水用凹部５０２ｂが形成され、この貯水又は保水用凹部５０２ｂからは筒状突出部５１３が突出形成されている構成であっても良く、本実施例の植栽基盤を使用することにより、育成材を載置収納した状態、或いは育成材を載置収納し植物を施した状態で敷設面へもって行くことができ、施工性が向上すると共に、水分が行き渡りにくい給水管から慣れた位置に貯水又は保水用凹部５０２ａ、５０２ｂが存在することから、植栽基盤全体に水分を行き渡らすことが可能となる。
【００６２】  また、図７（ｄ）に示すように、平面視長方形の植栽基盤６００の底部６０１に図面視横に３個、縦に４個に並んで合計１２個の平面視四角形のそれぞれ独立した貯水又は保水用凹部６０２を形成し、これを真空成形で形成する構成であっても良く、本実施例の植栽基盤を使用することにより、更に安価な植栽基盤を製造することが可能となる。
【００６３】  また、給水管の配設方法は適宜であり、従来通り、緑化エリア外に給水管を配設し、必要箇所から緑化エリア内に給水管を入り込ませる構成であっても良く、また、電磁弁収納部材もなくても良い。更には、図８に示すように水源近くに電磁弁を並べて、必要系統数を緑化エリアまで配管用のカバー２２５内に収納した状態で配設し、それぞれの配管を緑化エリア内に導く構成であっても良い。
【００６４】  また、図９に示すように、例えば第２実施例の場合、植栽基盤２００に入り込んだ給水管２１９のあばれを防ぐための給水管保持部材２２２を筒状突出部２１３に設けても良く、安定した給水管２１９の配設が可能となる。この給水管保持部材２２２は、図に示すように給水管２１９を保持する細長状の基部２２３と、基部２２３の長手方向両端に下方に屈曲し、植栽基盤２００の筒状突出部２１３に係合する係合部２２４を有し、筒状突出部２１３に係合部２２４を係合させる（突き刺す）ことにより、基部２２３の下端で給水管２１９を保持する構成となっており、確実に、安定して給水管２１９を保持することが可能となっている。
【００６５】  また、本発明の緑化エリアのボーダー部処理構造として、例えば第２実施例の植栽基盤２００を使用した場合、例えば図１０（ａ）の切断箇所Ｓ１、Ｓ２にて切断し、図１０（ｂ）に示すように外側の２つの外側切断片２３０ａ及び中央の１つの中央切断片２３０ｂが形成される。尚、三分割の中央切断片２３０ｂに関しては、後述する外側切断片２３０ａの被せ時に邪魔となる側壁等が不要なため、切断箇所Ｓ２を切断することにより側壁を切断する。
【００６６】  以上からなる中央切断片２３０ｂに覆い被せるように重ね合わせ、且つ１対の外側切断片２３０ａの切断箇所か略接するように配置することにより、図１０（ｃ）に示すように貯水又は保水用凹部、連通部、筒状突出部が位置決め効果を発揮して図面上横幅の小さい植栽基盤２００ａが作られる。この植栽基盤２００ａをボーダー部に設置しても良い。
【００６７】  更に、図面上高さを小さくしたい場合は、図１０（ｄ）に示すような切断箇所にて切断して、図１０（ｅ）に示すように新たな切断片２３０ａ及び２３０ｂを形成し、これらを組み合わせることにより、図１０（ｆ）に示すように幅及び高さの小さい植栽基盤２００ｂが形成され、この植栽基盤２００ｂをボーダー部に設置しても良い。
【００６８】  以上のように、様々な幅及び高さの植栽基盤を作ることが可能であるため、正規の植栽基盤２００と縁部である見切り材、建物の壁、パラペット等との間に残余空間が存在したとしても、簡易に対応することが可能となり、様々な緑化エリアを形成することが可能となる。
【００６９】  尚、上記緑化エリアのボーダー部処理構造は、必要に応じて外側切断片２３０ａ相互の接合部に接着テープ等で接着しても良く、より強固なボーダー部の植栽基盤を形成することが出来ると共に、より確実に育成材の流出を防止することができる。
【００７０】  以上、上記構成の緑化エリアのボーダー部処理構造を採用することにより、粒状の育成材は、側壁の突き合わせ部分にて流出を防止すると共に、貯水又は保水用凹部は突き合わせ部分においても、下に存在する中央切断片２３０ａにより、確実に機能を維持することが可能となる。
【００７１】  尚、緑化エリアのボーダー部処理構造について説明したが、必ずしも外側切断片２３０ａの切断箇所相互が略接する必要はなく、離れていても良い。また、逆に外側切断片２３０ａの切断箇所相互が接しており、接着テープなどで接着することにより、中央切断片２３０ｂを使用しない構成であっても良い。また、中央切断片２３０ｂを外側切断片２３０ａ上に被せるように重ねる構成であっても良く、植栽基盤底面と敷設面に段差が生じることがなく、好適である。また、分割片は必ずしも３つである必要はなく、組み合わせる分割片は２つ以上であれば、全て含まれる。
【００７２】  また、植栽基盤自体を真空成形にて形成すると安価で好適であるが、必ずしも真空成形で行う必要はなく、射出成形等であっても良く、また、材質も樹脂である必要なく、鋼板、石材、木材、発泡材等適宜であり、例えば鋼板なら絞り加工、曲げ加工や溶接、組立等により成形する等適宜である。
【００７３】  尚、樹脂などの射出成型の場合は、例えば連通部を凹溝にする必要はなく、例えば貯水又は保水用凹部の側部相互を連通する孔であっても良く、孔の高さ、径、形状、数、これらの組み合わせを異ならせる等適宜であり、必ずしも異ならせる必要もない。更に、連通部を不織布等毛細管現象が起こる部材を貯水又は保水用凹部相互間に配置する構成であっても良く、これら毛細管現象が起こる部材を変更する、或いは部材の幅、厚さを変更する等適宜である。
【００７４】  また、貯水又は保水用凹部は、貯水又は保水可能であれば全て含まれ、貯水の場合は、例えば底部上に仕切板を設けてその上に育成材を充填する、或いは育成材をマット或いはブロック状として貯水又は保水用凹部全体に侵入しないような構造とし、貯水又は保水用凹部に水分を貯留可能な構造であれば良く、また、保水の場合は、植栽基盤自体に粒状の育成材を充填することにより、保水する或いは、育成材とは異なる保水材を貯水又は保水用凹部に充填或いは設ける構成とし、貯水又は保水用凹部に水分を保持可能な構造であれば良い。
【００７５】  また、第２実施例の鉤状連結部は必須条件ではなく、無くても良い。更に、鉤状である必要はなく、様々な連結構造も含まれる。
【産業上の利用可能性】
【００７６】  本発明の植栽基盤は、建築物の屋上、屋根、ベランダ等の人工地盤上に緑化エリアを形成しうる植栽基盤に利用することができる。
【符号の説明】
【００７７】１００、２００、３００、４００、５００、６００・・・植栽基盤
１０１、２０１、３０１、４０１、５０１、６０１・・・底部
１０２、２０２、３０２、４０２、５０２、６０２・・・貯水又は保水用凹部
１０３、２０３、３０３、４０３、５０３・・・連通部
１０４、２０４、３０４、５０４・・・孔
１０５、２０５・・・敷設面
１０６、２０６・・・育成材
１０７、２０７・・・植物
１０８、２０８・・・緑化エリア
１０９、２０９・・・見切り材
２１１・・・面状部
２１２・・・経路部
２１３、４１３、５１３・・・筒状突出部
２１４・・・補強用突状部
２１５、５１５・・・側壁
２１６・・・鉤状連結部
２１７・・・切断部
２１８、５１８・・・凹部
２１９・・・給水管
２２０・・・電磁弁収納部材
２２１・・・電磁弁
２２２・・・給水管保持部材
２２３・・・基部
２２４・・・係合部
２２５・・・配管用カバー
２３０・・・切断片
Ｓ・・・切断線
【図１】
2014110813.tif 000003
【図２】
2014110813.tif 000004
【図３】
2014110813.tif 000005
【図４】
2014110813.tif 000006
【図５】
2014110813.tif 000007
【図６】
2014110813.tif 000008
【図７】
2014110813.tif 000009
【図８】
2014110813.tif 000010
【図９】
2014110813.tif 000011
【図１０】
2014110813.tif 000012